(57)【特許請求の範囲】
【請求項１】
被検眼に照明光を照射する照明系と、
第１対物レンズ及び第１撮像素子をそれぞれ含み、互いの対物光軸が非平行に配置され、前記被検眼に照射された照明光の戻り光をそれぞれの前記第１対物レンズを介してそれぞれの前記第１撮像素子に導く一対の受光系と、
前記対物光軸と異なる方向から前記照明光と異なる光を前記被検眼に照射する照射系と、
第２対物レンズ及び第２撮像素子をそれぞれ含み、互いの対物光軸が非平行に配置され、前記照明系により前記被検眼に照射された照明光の戻り光をそれぞれの前記第２対物レンズを介してそれぞれの前記第２撮像素子に導く第２の一対の受光系と
を備える眼科用顕微鏡システム。
【請求項２】
前記一対の受光系の対物光軸がなす角度を変更するための第１機構を備えることを特徴とする請求項１に記載の眼科用顕微鏡システム。
【請求項３】
前記一対の受光系のそれぞれは、焦点位置を変更するためのレンズを含み、
前記一対の受光系の前記レンズを連係動作させるための第２機構を備える
ことを特徴とする請求項１又は請求項２に記載の眼科用顕微鏡システム。
【請求項４】
前記被検眼の観察部位を変更するための補助光学部材と、
前記補助光学部材による観察部位の変更に応じて前記第２機構を制御する第１制御部と
を備えることを特徴とする請求項３に記載の眼科用顕微鏡システム。
【請求項５】
前記一対の受光系のそれぞれは、光路を偏向するための偏向部材を含み、
前記一対の受光系の前記偏向部材を連係動作させるための第３機構を備える
ことを特徴とする請求項１〜請求項４のいずれか一項に記載の眼科用顕微鏡システム。
【請求項６】
前記被検眼の観察部位を変更するための補助光学部材と、
前記補助光学部材による観察部位の変更に応じて前記第３機構を制御する第２制御部と
を備えることを特徴とする請求項５に記載の眼科用顕微鏡システム。
【請求項７】
前記一対の受光系の少なくとも一方の前記第１撮像素子からの出力に基づく画像を表示手段に表示させる第３制御部を備えることを特徴とする請求項１〜請求項６のいずれか一項に記載の眼科用顕微鏡システム。
【請求項８】
前記表示手段と、前記表示手段の表示面側に配置された１以上のレンズとをそれぞれ含む一対の接眼部を備えることを特徴とする請求項７に記載の眼科用顕微鏡システム。
【請求項９】
前記一対の接眼部の間隔を変更するための第４機構を備えることを特徴とする請求項８に記載の眼科用顕微鏡システム。
【請求項１０】
前記一対の接眼部の相対的向きを変更するための第５機構を備えることを特徴とする請求項８又は請求項９に記載の眼科用顕微鏡システム。
【請求項１１】
前記表示手段の前記表示面のサイズは７インチ以下であることを特徴とする請求項８〜請求項１０のいずれか一項に記載の眼科用顕微鏡システム。
【請求項１２】
前記一対の受光系のそれぞれの光路に前記照明系の光路を結合する第１光路結合部材を備えることを特徴とする請求項１〜請求項１１のいずれか一項に記載の眼科用顕微鏡システム。
【請求項１３】
前記照明系は、前記一対の受光系の前記対物光軸と異なる方向から前記照明光を照射可能であることを特徴とする請求項１〜請求項１２のいずれか一項に記載の眼科用顕微鏡システム。
【請求項１４】
ＯＣＴ光源からの光を測定光と参照光とに分割し、前記照射系により前記被検眼に照射された前記測定光の戻り光と前記参照光との干渉光を検出する干渉光学系と、
前記干渉光の検出結果に基づいて前記被検眼の画像又は解析結果を生成するデータ処理部と
を備える請求項１〜請求項１３のいずれか一項に記載の眼科用顕微鏡システム。
【請求項１５】
前記照射系は、治療用レーザ光源から出力された治療光と、照準用光源から出力された照準光とを前記被検眼に照射することを特徴とする請求項１〜請求項１４のいずれか一項に記載の眼科用顕微鏡システム。
【請求項１６】
前記照射系は、治療用レーザ光源から出力された治療光と、照準用光源から出力された照準光とを前記被検眼に照射し、
ＯＣＴ光源からの光を測定光と参照光とに分割し、前記照射系により前記被検眼に照射された前記測定光の戻り光と前記参照光との干渉光を検出する干渉光学系と、
前記干渉光の検出結果に基づいて前記被検眼の画像又は解析結果を生成するデータ処理部と、
前記治療光及び前記照準光が導かれる前記照射系の光路と前記測定光及びその戻り光が導かれる光路とを結合する第２光路結合部材と
を備えることを特徴とする請求項１〜請求項１３のいずれか一項に記載の眼科用顕微鏡システム。
【請求項１７】
前記照射系は、前記被検眼に照射される光を偏向するための光スキャナを含むことを特徴とする請求項１〜請求項１６のいずれか一項に記載の眼科用顕微鏡システム。
【発明の詳細な説明】
【技術分野】
【０００１】
この発明は、眼科用顕微鏡システムに関する。
【背景技術】
【０００２】
眼科分野では眼を拡大観察するために各種の顕微鏡が使用されている。そのような眼科用顕微鏡として、スリットランプ顕微鏡や手術用顕微鏡などがある。眼科用顕微鏡には、眼を撮影するための撮像素子を備えるものや、立体観察のための両眼視差を与える双眼光学系を備えるものがある。
【０００３】
眼科用顕微鏡を他の眼科装置と組み合わせて使用することがある。たとえば、ＯＣＴ（Ｏｐｔｉｃａｌ  Ｃｏｈｅｒｅｎｃｅ  Ｔｏｍｏｇｒａｐｈｙ）装置やレーザ治療装置を眼科用顕微鏡に組み合わせたシステムが知られている。ＯＣＴ装置は、眼の断面像や３次元画像の取得や、眼組織のサイズ（網膜厚等）の測定や、眼の機能情報（血流情報等）の取得などに使用される。レーザ治療装置は、網膜や隅角の光凝固治療などに使用される。
【先行技術文献】
【特許文献】
【０００４】
【特許文献１】米国特許第７５９９５９１号明細書
【特許文献２】米国特許第８９２２８８２号明細書
【発明の概要】
【発明が解決しようとする課題】
【０００５】
従来の眼科用顕微鏡システムは、ガリレオ式実体顕微鏡を備えている。ガリレオ式実体顕微鏡は、双眼光学系が共通の対物レンズを備えている点や、双眼光学系の左右の光軸が平行である点を特徴とし、他の光学系や光学素子を組み合わせ易いという利点を有する。
【０００６】
一方、大径の対物レンズを使用する必要があるため、光学設計や機構設計の自由度が制限されるというデメリットがある。
【０００７】
また、観察者の左右眼の間隔（眼幅）には限界があるため、双眼光学系のステレオ角を大きくすることが困難であり、立体感のある観察像を得ることが難しいという問題もある。特に、高倍率での観察時に立体感のある観察像を得ることは極めて困難である。逆に、ステレオ角を小さくすることは可能であるが、専用の光学素子（プリズム等）を双眼光学系に配置しなければならず、光学的構成の複雑化を招く要因となっている。更に、ステレオ角を微調整することも困難である。
【０００８】
また、操作性の面においても問題がある。たとえば、観察部位に応じて焦点位置を合わせるための煩雑な操作を行わなければならない。典型的には、前眼部観察から眼底観察に移行する際に、顕微鏡自体を前後方向に移動させる操作を行う必要がある。
【０００９】
以上に例示したように、従来の眼科用顕微鏡システムには様々な問題がある。
【００１０】
この発明は、従来の眼科用顕微鏡システムに関する上記の問題を解決するための新規な構成を提供するものである。
【課題を解決するための手段】
【００１１】
実施形態の眼科用顕微鏡システムは、照明系と、一対の受光系と、照射系と、第２の一対の受光系とを備える。照明系は、被検眼に照明光を照射する。一対の受光系は、第１対物レンズ及び第１撮像素子をそれぞれ含み、互いの対物光軸が非平行に配置され、被検眼に照射された照明光の戻り光をそれぞれの第１対物レンズを介してそれぞれの第１撮像素子に導く。照射系は、対物光軸と異なる方向から照明光と異なる光を被検眼に照射する。第２の一対の受光系は、第２対物レンズ及び第２撮像素子をそれぞれ含み、互いの対物光軸が非平行に配置され、前記照明系により前記被検眼に照射された照明光の戻り光をそれぞれの前記第２対物レンズを介してそれぞれの前記第２撮像素子に導く。
【発明の効果】
【００１２】
実施形態によれば、従来の眼科用顕微鏡システムに関する上記の問題を解決することが可能である。
【図面の簡単な説明】
【００１３】
【図１】実施形態に係る眼科用顕微鏡システムの構成の一例を示す概略図である。
【図２】実施形態に係る眼科用顕微鏡システムの構成の一例を示す概略図である。
【図３】実施形態に係る眼科用顕微鏡システムの構成の一例を示す概略図である。
【図４】実施形態に係る眼科用顕微鏡システムの構成の一例を示す概略図である。
【図５】実施形態に係る眼科用顕微鏡システムの構成の一例を示す概略図である。
【図６】実施形態に係る眼科用顕微鏡システムの作用を示す概略図である。
【図７】変形例に係る眼科用顕微鏡システムの構成の一例を示す概略図である。
【発明を実施するための形態】
【００１４】
この発明に係る眼科用顕微鏡システムの実施形態の例について、図面を参照しながら詳細に説明する。なお、この明細書において引用された文献の記載内容や任意の公知技術を、以下の実施形態に援用することが可能である。
【００１５】
眼科用顕微鏡システムは、眼科分野における診療や手術において被検眼の拡大像を観察（撮影）するために使用される。観察対象部位は、患者眼の任意の部位であってよく、たとえば、前眼部においては角膜や隅角や硝子体や水晶体や毛様体などであってよく、後眼部においては網膜や脈絡膜や硝子体であってよい。また、観察対象部位は、瞼や眼窩など眼の周辺部位であってもよい。
【００１６】
眼科用顕微鏡システムは、被検眼を拡大観察するための顕微鏡としての機能に加え、他の眼科装置としての機能を有する。他の眼科装置としての機能の例として、ＯＣＴ、レーザ治療、眼軸長測定、屈折力測定、高次収差測定などがある。他の眼科装置は、被検眼の検査や測定や画像化を光学的手法で行うことが可能な任意の構成を備える。以下の実施形態では、ＯＣＴ機能とレーザ治療機能とを顕微鏡に組み合わせた構成を説明する。
【００１７】
［構成］
実施形態に係る眼科用顕微鏡システムの構成を図１〜図５に示す。図１〜図４は光学系の構成を示す。図１は後眼部を観察するときの光学系を示し、図２は前眼部を観察するときの光学系を示す。図３及び図４は、上記の「他の眼科装置としての機能」を提供するための光学系を示す。図５は処理系の構成を示す。
【００１８】
眼科用顕微鏡システム１は、照明系１０（１０Ｌ、１０Ｒ）と、受光系２０（２０Ｌ、２０Ｒ）と、接眼系３０（３０Ｌ、３０Ｒ）と、照射系４０と、ＯＣＴ系６０と、レーザ治療系８０とを備える。後眼部（網膜等）を観察するときには、被検眼Ｅの直前に前置レンズ９０が配置される。なお、図１に示すような非接触の前置レンズ９０の代わりにコンタクトレンズ等を用いることが可能である。また、隅角を観察するときにはコンタクトミラー（三面鏡等）等を用いることができる。
【００１９】
（照明系１０）
照明系１０は、被検眼Ｅに照明光を照射する。図示は省略するが、照明系１０は、照明光を発する光源や、照明野を規定する絞りや、レンズ系などを含む。照明系の構成は、従来の眼科装置（たとえばスリットランプ顕微鏡、眼底カメラ、レフラクトメータ等）と同様であってよい。
【００２０】
本実施形態の照明系１０Ｌ及び１０Ｒは、それぞれ受光系２０Ｌ及び２０Ｒと同軸に構成されている。具体的には、観察者の左眼Ｅ０Ｌに提示される像を取得するための左受光系２０Ｌには、たとえばハーフミラーからなるビームスプリッタ１１Ｌが斜設されている。ビームスプリッタ１１Ｌは、左受光系２０Ｌの光路に左照明系１０Ｌの光路を結合している。左照明系１０Ｌから出力された照明光は、ビームスプリッタ１０Ｌにより反射され、左受光系２０Ｌと同軸で被検眼Ｅを照明する。同様に、観察者の右眼Ｅ０Ｒに提示される像を取得するための右受光系２０Ｒには、右受光系２０Ｒの光路に右照明系１０Ｒの光路を結合するビームスプリッタ１１Ｒが斜設されている。
【００２１】
受光系２０Ｌ（２０Ｒ）の光軸に対する照明光の位置を変更可能に構成することができる。この構成は、たとえば、従来の眼科手術用顕微鏡と同様に、ビームスプリッタ１１Ｌ（１１Ｒ）に対する照明光の照射位置を変更するための手段を設けることにより実現される。
【００２２】
本例では、対物レンズ２１Ｌ（２１Ｒ）と被検眼Ｅとの間にビームスプリッタ１１Ｌ（１１Ｒ）が配置されているが、照明光の光路が受光系２０Ｌ（２０Ｒ）に結合される位置は、受光系２０Ｌ（２０Ｒ）の任意の位置でよい。
【００２３】
（受光系２０）
本実施形態では、左右一対の受光系２０Ｌ及び２０Ｒが設けられている。左受光系２０Ｌは、観察者の左眼Ｅ０Ｌに提示される像を取得するための構成を有し、右受光系２０Ｒは、右眼Ｅ０Ｒに提示される像を取得するための構成を有する。左受光系２０Ｌと右受光系２０Ｒは同じ構成を備える。左受光系２０Ｌ（右受光系２０Ｒ）は、対物レンズ２１Ｌ（２１Ｒ）と、結像レンズ２２Ｌ（２２Ｒ）と、撮像素子２３Ｌ（２３Ｒ）とを含む。
【００２４】
なお、結像レンズ２２Ｌ（２２Ｒ）が設けられていない構成を適用することも可能である。本実施形態のように結像レンズ２２Ｌ（２２Ｒ）が設けられている場合、対物レンズ２１Ｌ（２１Ｒ）と結像レンズ２２Ｌ（２２Ｒ）との間をアフォーカルな光路（平行光路）とすることができ、フィルタ等の光学素子を配置することや、光路結合部材を配置して他の光学系からの光路を結合することが容易になる（すなわち、光学的構成の自由度や拡張性が向上される）。
【００２５】
符号ＡＬ１は、左受光系２０Ｌの対物レンズ２１Ｌの光軸（対物光軸）を示し、符号ＡＲ１は、右受光系２０Ｒの対物レンズ２１Ｒの光軸（対物光軸）を示す。受光素子２３Ｌ（２３Ｒ）は、たとえばＣＣＤイメージセンサやＣＭＯＳイメージセンサ等のエリアセンサである。
【００２６】
以上は、被検眼Ｅの後眼部（眼底）を観察するときの受光系２０の構成である（図１）。一方、前眼部を観察するときには、図２に示すように、対物レンズ２１Ｌ（２１Ｒ）に対して被検眼Ｅ側の位置に、フォーカスレンズ２４Ｌ（２４Ｒ）とウェッジプリズム２５Ｌ（２５Ｒ）とが配置される。本例のフォーカスレンズ２４Ｌ（２４Ｒ）は凹レンズであり、対物レンズ２１Ｌ（２１Ｒ）の焦点距離を延長するように作用する。ウェッジプリズム２５Ｌ（２５Ｒ）は、左受光系２０Ｌ（右受光系２０Ｒ）の光路（対物光軸ＡＬ１（ＡＲ１））を所定角度だけ外側に偏向する（符号ＡＬ２及びＡＲ２で示す）。このように、フォーカスレンズ２４Ｌ及びウェッジプリズム２５Ｌが左受光系２０Ｌに配置され、かつ、フォーカスレンズ２４Ｒ及びウェッジプリズム２５Ｒが右受光系２０Ｒに配置されることにより、後眼部観察用の焦点位置Ｆ１から前眼部観察用の焦点位置Ｆ２に切り替えられる。
【００２７】
フォーカスレンズとして凸レンズを用いることが可能である。その場合、フォーカスレンズは、後眼部観察時に光路に配置され、前眼部観察時に光路から退避される。フォーカスレンズの挿入／退避によって焦点距離を切り替える代わりに、たとえば光軸方向に移動可能なフォーカスレンズを設けることにより焦点距離を連続的又は段階的に変更できるように構成することが可能である。
【００２８】
図２に示す例では、ウェッジプリズム２５Ｌ（２５Ｒ）の基底方向は外側である（つまりベースアウト配置である）が、ベースイン配置のウェッジプリズムを用いることができる。その場合、ウェッジプリズムは、後眼部観察時に光路に配置され、前眼部観察時に光路から退避される。ウェッジプリズムの挿入／退避によって光路の方向を切り替える代わりに、プリズム量（及びプリズム方向）が可変なプリズムを設けることにより光路の向きを連続的又は段階的に変更できるように構成することが可能である。
【００２９】
（接眼系３０）
本実施形態では、左右一対の接眼系３０Ｌ及び３０Ｒが設けられている。左接眼系３０Ｌは、左受光系２０Ｌにより取得された被検眼Ｅの像を観察者の左眼Ｅ０Ｌに提示するための構成を有し、右接眼系３０Ｌは、右受光系２０Ｌにより取得された被検眼Ｅの像を右眼Ｅ０Ｌに提示するための構成を有する。左接眼系３０Ｌと右接眼系３０Ｒは同じ構成を備える。左接眼系３０Ｌ（右接眼系３０Ｒ）は、表示部３１Ｌ（３１Ｒ）と、接眼レンズ系３２Ｌ（３２Ｒ）とを含む。
【００３０】
表示部３１Ｌ（３１Ｒ）は、たとえばＬＣＤ等のフラットパネルディスプレイである。表示部３１Ｌ（３１Ｒ）の表示面のサイズは、たとえば（対角線長）７インチ以下とされる。左右一対の接眼系３０Ｌ及び３０Ｒに設けられる表示デバイスの画面サイズは、観察者の眼幅（瞳孔間距離等）や、装置のサイズや、装置の設計（光学系や機構の配置等）などに制約を受ける。すなわち、このような制約条件と見掛け視野の広さはトレードオフの関係にある。このような観点から、表示部３１Ｌ及び３１Ｒの画面サイズの最大値は７インチ程度と考えられる。なお、接眼レンズ系３２Ｌ及び３２Ｒの構成や機構の配置を工夫することにより、７インチを超える画面サイズの表示部３１Ｌ及び３１Ｒを適用することができ、或いは、小サイズの表示部３１Ｌ及び３１Ｒを適用することができる。
【００３１】
後述のように、左接眼系３０Ｌと右接眼系３０Ｒとの間隔を変更することが可能である。それにより、観察者の眼幅に応じて左接眼系３０Ｌと右接眼系３０Ｒとの間隔を調整することができる。また、左接眼系３０Ｌと右接眼系３０Ｒとの相対的向きを変更することが可能である。つまり、左接眼系３０Ｌの光軸と右接眼系３０Ｒの光軸とがなす角度を変更することが可能である。それにより、両眼Ｅ０Ｌ及びＥ０Ｒの輻輳を誘発することができ、観察者による立体視を支援することができる。
【００３２】
（照射系４０）
照射系４０は、前述した「他の眼科装置」としての機能を実現するための光を、受光系２０の対物光軸（ＡＬ１及びＡＲ１、並びにＡＬ２及びＡＲ２）と異なる方向から被検眼Ｅに照射する。本例の照射系４０は、ＯＣＴのための光（測定光）と、レーザ治療のための光（照準光、治療用レーザ光）とを被検眼Ｅに照射する。
【００３３】
照射系４０は、光スキャナ４１と、結像レンズ４２と、リレーレンズ４３と、偏向ミラー４４とを含む。光スキャナ４１には、ＯＣＴ部６０及びレーザ治療部８０からの光が導かれる。
【００３４】
ＯＣＴ部６０からの光（測定光）は、光ファイバ５１Ａにより導かれ、そのファイバ端面から出射する。このファイバ端面に臨む位置には、コリメートレンズ５２Ａが配置されている。コリメートレンズ５２Ａにより平行光束とされた測定光は、ＯＣＴ用光路とレーザ治療用光路とを結合する部材５３に導かれる。一方、レーザ治療部８０からの光（照準光、治療用レーザ光）は、光ファイバ５１Ｂにより導かれ、そのファイバ端面から出射する。このファイバ端面に臨む位置には、コリメートレンズ５２Ｂが配置されている。コリメートレンズ５２Ｂにより平行光束とされた測定光は、光路結合部材５３に導かれる。
【００３５】
ＯＣＴのための波長とレーザ治療のための波長とが異なる場合、光路結合部材５３としてダイクロイックミラーを用いることができる。典型的には、ＯＣＴための光として１０５０ｎｍ程度の中心波長を備える広帯域光を利用し、かつ、レーザ治療のための光として６３５ｎｍ程度の波長のレーザ光を用いることができる（照準光としてはたとえば任意の可視光を用いることができる）。他方、双方の波長が実質的に同じ場合や近い場合には、光路結合部材５３としてハーフミラーを用いることが可能である。他の例として、ＯＣＴを行うタイミングとレーザ治療を行うタイミングとが異なる場合には、クイックリターンミラー等の光路切替部材を光路結合部材５３として用いることが可能である。図１等に示す例では、ＯＣＴ部６０からの測定光は光路結合部材５３を透過して光スキャナ４１に入射し、レーザ治療部８０からの光は光路結合部材５３に反射されて光スキャナ４１に入射する。
【００３６】
光スキャナ４１は、２次元光スキャナであり、水平方向（ｘ方向）へ光を偏向するｘスキャナ４１Ｈと、垂直方向（ｙ方向）へ光を偏向するｙスキャナ４１Ｖとを含む。ｘスキャナ４１Ｈ及びｙスキャナ４１Ｖは、それぞれ任意の形態の光スキャナであってよく、たとえばガルバノミラーが使用される。光スキャナ４１は、たとえば、コリメートレンズ５２Ａ及び５２Ｂのそれぞれの射出瞳位置又はその近傍位置に配置される。更に、光スキャナ４１は、たとえば、結像レンズ４２の入射瞳位置又はその近傍位置に配置される。
【００３７】
本例のように２つの１次元光スキャナを組み合わせて２次元光スキャナを構成する場合、２つの１次元光スキャナは所定距離（たとえば１０ｍｍ程度）だけ離れて配置されるので、たとえば、いずれかの１次元光スキャナを上記射出瞳位置及び／又は上記入射瞳位置に配置することができる。
【００３８】
結像レンズ４２は、光スキャナ４１を通過した平行光束（測定光、照準光、治療用レーザ光）を一旦結像される。更に、この光を被検眼Ｅ（眼底、角膜等の観察部位）において再結像させるために、この光をリレーレンズ４３によりリレーし、偏向ミラー４４により被検眼Ｅに向けて反射する。
【００３９】
照射系４０により導かれてきた光が受光系２０の対物光軸（ＡＬ１及びＡＲ１、並びにＡＬ２及びＡＲ２）と異なる方向から被検眼Ｅに照射されるように、偏向ミラー４４の位置は予め決定されている。本例では、互いの対物光軸が非平行に配置された左受光系２０Ｌと右受光系２０Ｒとの間の位置に偏向ミラー４４が配置されている。このような配置を可能にする要因の一つに、リレーレンズ４３を配置したことによる光学的構成の自由度の向上がある。また、たとえば、水平方向の光スキャナ（本例ではｘスキャナ４１Ｈ）と共役な位置と、対物レンズ２１Ｌ及び２１Ｒとの間の距離を十分に小さく設計することが可能となるため、装置の小型化を図ることができる。
【００４０】
一般に、光スキャナ４１によるスキャン可能範囲（スキャン可能角度）は制限されているので、焦点距離が可変な結像レンズ４２（又は結像レンズ系）を適用することによってスキャン可能範囲を拡大することが可能である。その他にも、スキャン可能範囲を拡大するための任意の構成を適用することが可能である。
【００４１】
（ＯＣＴ部６０）
ＯＣＴ部６０は、ＯＣＴを実行するための干渉光学系を含む。ＯＣＴ部６０の構成の例を図４に示す。図４に示す光学系は、スウェプトソースＯＣＴの例であり、波長走査型（波長掃引型）光源からの光を測定光と参照光とに分割し、被検眼Ｅからの測定光の戻り光と参照光路を経由した参照光とを干渉させて干渉光を生成し、この干渉光を検出する。干渉光学系による干渉光の検出結果（検出信号）は、干渉光のスペクトルを示す信号であり、制御部１００に送られる。
【００４２】
光源ユニット６１は、一般的なスウェプトソースタイプのＯＣＴ装置と同様に、出射光の波長を走査（掃引）可能な波長走査型（波長掃引型）光源を含む。光源ユニット６１は、人眼では視認できない近赤外の波長帯において、出力波長を時間的に変化させる。
【００４３】
光源ユニット６１から出力された光Ｌ０は、光ファイバ６２により偏波コントローラ６３に導かれてその偏光状態が調整され、光ファイバ６４によりファイバカプラ６５に導かれて測定光ＬＳと参照光ＬＲとに分割される。
【００４４】
参照光ＬＲは、光ファイバ６６Ａによりコリメータ６７に導かれて平行光束に変換され、光路長補正部材６８及び分散補償部材６９を経由し、コーナーキューブ７０に導かれる。光路長補正部材６８は、参照光ＬＲの光路長（光学距離）と測定光ＬＳの光路長とを合わせるための遅延手段として作用する。分散補償部材６９は、参照光ＬＲと測定光ＬＳとの間の分散特性を合わせるための分散補償手段として作用する。
【００４５】
コーナーキューブ７０は、参照光ＬＲの進行方向を逆方向に折り返す。コーナーキューブ７０は、参照光ＬＲの入射光路及び出射光路に沿う方向に移動可能とされ、それにより参照光ＬＲの光路の長さが変更される。なお、測定光ＬＳの光路の長さを変更するための手段と、参照光ＬＲの光路の長さを変更するための手段のうちのいずれか一方が設けられていればよい。
【００４６】
コーナーキューブ７０を経由した参照光ＬＲは、分散補償部材６９及び光路長補正部材６８を経由し、コリメータ７１によって平行光束から集束光束に変換されて光ファイバ７２に入射し、偏波コントローラ７３に導かれて参照光ＬＲの偏光状態が調整される。更に、参照光ＬＲは、光ファイバ７４によりアッテネータ７５に導かれて、制御部１００の制御の下で光量が調整される。光量が調整された参照光ＬＲは、光ファイバ７６によりファイバカプラ７７に導かれる。
【００４７】
一方、ファイバカプラ６５により生成された測定光ＬＳは、光ファイバ５１Ａにより導かれてファイバ端面から出射され、コリメータレンズ５２Ａにより平行光束とされる。平行光束にされた測定光ＬＳは、ダイクロイックミラー５３、光スキャナ４１、結像レンズ４２、リレーレンズ４３及び偏向ミラー４４を経由して被検眼Ｅに照射される。測定光ＬＳは、被検眼Ｅの様々な深さ位置において反射・散乱される。被検眼Ｅからの測定光ＬＳの戻り光は、反射光や後方散乱光を含み、往路と同じ経路を逆向きに進行してファイバカプラ６５に導かれ、光ファイバ６６Ｂを経由してファイバカプラ７７に到達する。
【００４８】
ファイバカプラ７７は、光ファイバ６６Ｂを介して入射された測定光ＬＳと、光ファイバ７６を介して入射された参照光ＬＲとを合成して（干渉させて）干渉光を生成する。ファイバカプラ７７は、所定の分岐比（たとえば１：１）でこの干渉光を分割することにより、一対の干渉光ＬＣを生成する。ファイバカプラ７７から出射した一対の干渉光ＬＣは、それぞれ光ファイバ７８Ａ及び７８Ｂにより検出器７９に導かれる。
【００４９】
検出器７９は、たとえば一対の干渉光ＬＣをそれぞれ検出する一対のフォトディテクタを含み、これらによる検出結果の差分を出力するバランスドフォトダイオード（Ｂａｌａｎｃｅｄ  Ｐｈｏｔｏ  Ｄｉｏｄｅ）である。検出器７９は、その検出結果（検出信号）を制御部１００に送る。
【００５０】
本例ではスウェプトソースＯＣＴが適用されているが、他のタイプのＯＣＴ、たとえばスペクトラルドメインＯＣＴを適用することが可能である。
【００５１】
（レーザ治療部８０）
レーザ治療部８０は、レーザ治療を行うための構成を含む。特に、レーザ治療部８０は、被検眼Ｅに照射される光を発生する。レーザ治療部８０は、照準光源８１Ａと、治療光源８１Ｂと、ガルバノミラー８２と、遮光板８３とを含む。なお、これら以外の部材をレーザ治療部８０に設けることができる。たとえば、光ファイバ５１Ｂの直前位置に、レーザ治療部８０により発生された光を光ファイバ５１Ｂの端面に入射させる光学素子（レンズ等）を設けることができる。
【００５２】
照準光源８１Ａは、レーザ治療を施す部位に照準を合わせるための照準光ＬＡを発生する。照準光源８１Ａとしては任意の光源が用いられる。本実施形態では、被検眼Ｅの撮影画像を観察しつつ照準を合わせる構成が適用されるので、撮像素子２３（２３Ｌ及び２３Ｒ）が感度を有する波長帯の光を発する光源（レーザ光源、発光ダイオード等）が照準光源８１Ａとして用いられる。なお、目視観察により照準合わせを行う構成が適用される場合には、照準光ＬＡとして可視光が用いられる。照準光ＬＡは、ガルバノミラー８２に導かれる。
【００５３】
治療光源８１Ｂは、治療用レーザ光（治療光ＬＴ）を発する。治療光ＬＴは、その用途に応じて可視レーザ光でも不可視レーザ光でもよい。また、治療光源８１Ｂは、異なる波長のレーザ光を発する単一のレーザ光源又は複数のレーザ光源であってよい。治療光ＬＴは、ガルバノミラー８２に導かれる。
【００５４】
照準光ＬＡと治療光ＬＴは、ガルバノミラー８２の反射面の同じ位置に到達するようになっている。なお、照準光ＬＡと治療光ＬＴをまとめて「照射光」と呼ぶことがある。ガルバノミラー８２（の反射面）の向きは、少なくとも、照射光を光ファイバ５１Ｂに向けて反射させる向き（照射用向き）と、照射光を遮光板８３に向けて反射させる向き（停止用向き）とに変更される。
【００５５】
ガルバノミラー８２が停止用向きに配置されている場合、照射光は遮光板８３に到達する。遮光板８３は、たとえば照射光を吸収する材質及び／又は形態からなる部材であり、遮光作用を有する。
【００５６】
本実施形態では、照準光源８１Ａと治療光源８１Ｂは、それぞれ連続的に光を発生する。そして、ガルバノミラー８２を照射用向きに配置させることで、照射光を被検眼Ｅに照射させる。また、ガルバノミラー８２を停止用向きに配置させることで、被検眼Ｅに対する照射光の照射を停止させる。他の実施形態において、照準光源８１Ａ及び／又は治療光源８１Ｂは、断続的に光を発生可能に構成されてよい。すなわち、照準光源８１Ａ及び／又は治療光源８１Ｂは、パルス光を発生可能に構成されてよい。そのためのパルス制御は制御部１００により実行される。この構成が適用される場合、ガルバノミラー８２及び遮光板８３を設ける必要はない。
【００５７】
（制御部１００）
制御部１００は、眼科用顕微鏡システム１の各部の制御を実行する（図５参照）。照明系１０の制御の例として次のものがある：光源の点灯、消灯、光量調整；絞りの調整；スリット照明が可能な場合にはスリット幅の調整。撮像素子２３の制御として、露光調整やゲイン調整や撮影レート調整などがある。
【００５８】
制御部１００は、各種の情報を表示部３１に表示させる。たとえば、制御部１００は、撮像素子２３Ｌにより取得された画像（又はそれを処理して得られた画像）を表示部３１Ｌに表示させ、かつ、撮像素子２３Ｒにより取得された画像（又はそれを処理して得られた画像）を表示部３１Ｒに表示させる。
【００５９】
光スキャナ４１の制御としては次のものがある：予め設定されたＯＣＴスキャンパターンに応じた複数の位置に測定光ＬＳが照射されるように、測定光ＬＳを順次に偏向する；予め設定されたレーザ治療パターンに応じた複数の位置に照準光ＬＡ及び／又は治療光ＬＴが照射されるように、照準光ＬＡ及び／又は治療光ＬＴを順次に偏向する。
【００６０】
ＯＣＴ部６０に含まれる制御対象としては、光源ユニット６１、偏波コントローラ６３、コーナーキューブ７０、偏波コントローラ７３、アッテネータ７５、検出器７９などがある。レーザ治療部８０に含まれる制御対象としては、照準光源８１Ａ、治療光源８１Ｂ、ガルバノミラー８２などがある。
【００６１】
更に、制御部１００は、各種の機構を制御する。そのような機構としては、ステレオ角変更部２０Ａ、合焦部２４Ａ、光路偏向部２５Ａ、間隔変更部３０Ａ、及び向き変更部３０Ｂが設けられている。
【００６２】
ステレオ角変更部２０Ａは、左受光系２０Ｌと右受光系２０Ｒとを相対的に回転移動する。すなわち、ステレオ角変更部２０Ａは、互いの対物光軸（たとえばＡＬ１とＡＲ１）がなす角度を変更するように左受光系２０Ｌと右受光系２０Ｒとを相対移動させる。この相対移動は、たとえば、左受光系２０Ｌと右受光系２０Ｒとを反対の回転方向に同じ角度だけ移動させるものである。この移動態様においては、互いの対物光軸（たとえばＡＬ１とＡＲ１）がなす角の二等分線の向きは一定である。一方、当該二等分線の向きが変化するように上記相対移動を行うことも可能である。
【００６３】
合焦部２４Ａは、左右のフォーカスレンズ２４Ｌ及び２４Ｒを光路に対して挿入／退避させる。合焦部２４Ａは、左右のフォーカスレンズ２４Ｌ及び２４Ｒを同時に挿入／退避させるように構成されていてよい。他の例において、合焦部２４Ａは、左右のフォーカスレンズ２４Ｌ及び２４Ｒを（同時に）光軸方向に移動させることによって焦点位置を変更するように構成されてよく、或いは、左右のフォーカスレンズ２４Ｌ及び２４Ｒの屈折力を（同時に）変更することによって焦点距離を変更するように構成されてよい。
【００６４】
光路偏向部２５Ａは、左右のウェッジプリズム２５Ｌ及び２５Ｒを光路に対して挿入／退避させる。光路偏向部２５Ａは、左右のウェッジプリズム２５Ｌ及び２５Ｒを同時に挿入／退避させるように構成されていてよい。他の例において、光路偏向部２５Ａは、左右のウェッジプリズム２５Ｌ及び２５Ｒのプリズム量（及びプリズム方向）を（同時に）変更することによって左右の受光系２０Ｌ及び２０Ｒの光路の向きを変更するように構成されてよい。
【００６５】
間隔変更部３０Ａは、左右の接眼系３０Ｌ及び３０Ｒの間隔を変更する。間隔変更部３０Ａは、互いの光軸の相対的向きを変化させずに左右の接眼系３０Ｌ及び３０Ｒを相対的に移動するように構成されてよい。
【００６６】
向き変更部３０Ｂは、左右の接眼系３０Ｌ及び３０Ｒの相対的向きを変更する。向き変更部３０Ｂは、互いの光軸がなす角度を変更するように左接眼系３０Ｌと右接眼系３０Ｒとを相対移動させる。この相対移動は、たとえば、左接眼系３０Ｌと右接眼系３０Ｒとを反対の回転方向に同じ角度だけ移動させるものである。この移動態様においては、互いの光軸がなす角の二等分線の向きは一定である。一方、当該二等分線の向きが変化するように上記相対移動を行うことも可能である。
【００６７】
（データ処理部２００）
データ処理部２００は、各種のデータ処理を実行する。このデータ処理には、画像を形成する処理や、画像を加工する処理などが含まれる。また、データ処理部２００は、画像や検査結果や測定結果の解析処理や、被検者に関する情報（電子カルテ情報等）に関する処理を実行可能であってよい。データ処理部２００には、変倍処理部２１０と、ＯＣＴ画像形成部２２０とが含まれる。
【００６８】
変倍処理部２１０は、撮像素子２３により取得された画像を拡大する。この処理は、いわゆるデジタルズーム処理であり、撮像素子２３により取得された画像の一部を切り取る処理と、その部分の拡大画像を作成する処理とを含む。画像の切り取り範囲は、観察者により又は制御部１００により設定される。変倍処理部２１０は、左受光系２０Ｌの撮像素子２３Ｌにより取得された画像（左画像）と、右受光系２０Ｒの撮像素子２３Ｒにより取得された画像（右画像）とに対して、同じ処理を施す。それにより、観察者の左眼Ｅ０Ｌと右眼Ｅ０Ｌとに同じ倍率の画像が提示される。
【００６９】
なお、このようなデジタルズーム機能に加えて、又はそれの代わりに、いわゆる光学ズーム機能を設けることが可能である。光学ズーム機能は、左右の受光系２０Ｌ及び２０Ｒのそれぞれに変倍レンズ（変倍レンズ系）を設けることにより実現される。具体例として、変倍レンズを（選択的に）光路に対して挿入／退避する構成や、変倍レンズを光軸方向に移動させる構成がある。光学ズーム機能に関する制御は制御部１００によって実行される。
【００７０】
ＯＣＴ画像形成部２２０は、ＯＣＴ部６０の検出器７９により得られる干渉光ＬＣの検出結果に基づいて、被検眼得の画像を形成する。制御部１００は、検出器７９から順次に出力される検出信号をＯＣＴ画像形成部２２０に送る。ＯＣＴ画像形成部２２０は、たとえば一連の波長走査毎に（Ａライン毎に）、検出器７９により得られた検出結果に基づくスペクトル分布にフーリエ変換等を施すことにより、各Ａラインにおける反射強度プロファイルを形成する。更に、ＯＣＴ画像形成部２２０は、各Ａラインプロファイルを画像化することにより画像データを形成する。それにより、Ｂスキャン像（断面像）やボリュームデータ（３次元画像データ）が得られる。
【００７１】
データ処理部２００は、ＯＣＴ画像形成部２２０により形成された画像（ＯＣＴ画像）を解析する機能を備えていてよい。この解析機能としては、網膜厚解析や、正常眼との比較解析などがある。このような解析機能は、公知のアプリケーションを用いて実行される。また、データ処理部２００は、受光系２０により取得された画像を解析する機能を備えていてよい。また、データ処理部２００は、受光系２０により取得された画像の解析とＯＣＴ画像の解析とを組み合わせた解析機能を備えていてもよい。
【００７２】
（ユーザインターフェイス３００）
ユーザインターフェイス（ＵＩ）３００は、観察者等と眼科用顕微鏡システム１との間で情報のやりとりを行うための機能を備える。ユーザインターフェイス３００は、表示デバイスと操作デバイス（入力デバイス）とを含む。表示デバイスは、表示部３１を含んでよく、それ以外の表示デバイスを含んでもよい。操作デバイスは、各種のハードウェアキー及び／又はソフトウェアキーを含む。操作デバイスの少なくとも一部と表示デバイスの少なくとも一部とを一体的に構成することが可能である。タッチパネルディスプレイはその一例である。
【００７３】
（通信部４００）
通信部４００は、他の装置に情報を送信する処理と、他の装置から送られた情報を受信する処理とを行う。通信部４００は、既定のネットワーク（ＬＡＮ、インターネット等）に準拠した通信デバイスを含んでいてよい。たとえば、通信部４００は、医療機関内に設けられたＬＡＮを介して、電子カルテデータベースや医用画像データベースから情報を取得する。また、外部モニタが設けられている場合、通信部４００は、眼科用顕微鏡システム１により取得される画像（受光系２０により取得される画像、ＯＣＴ画像等）を、実質的にリアルタイムで外部モニタに送信することができる。
【００７４】
［作用・効果］
本実施形態の眼科用顕微鏡システムの作用及び効果について説明する。
【００７５】
本実施形態の眼科用顕微鏡システムは、照明系（１０）と、一対の受光系（２０Ｌ、２０Ｒ）と、照射系（４０）とを備える。照明系は、被検眼に照明光を照射する。一対の受光系のそれぞれは、対物レンズ（２１Ｌ、２１Ｒ）と、撮像素子（２３Ｌ、２３Ｒ）とを含む。また、互いの対物光軸（ＡＬ１、ＡＲ１等）が非平行に配置されている。更に、一対の受光系は、被検眼に照射された照明光の戻り光を、それぞれの対物レンズを介してそれぞれの撮像素子に導く。照射系は、対物光軸（ＡＬ１、ＡＲ１等）と異なる方向から照明光と異なる光（測定光ＬＳ、照準光ＬＡ、治療光ＬＴ等）を被検眼に照射する。
【００７６】
このような眼科用顕微鏡システムによれば、一対の受光系のそれぞれに対物レンズが設けられており、双方の受光系に共通の大径の対物レンズが使用されていない。したがって、光学設計や機構設計の自由度が向上し、照射系の配置が容易になる。また、装置の小型化を図ることも可能となる。
【００７７】
実施形態の眼科用顕微鏡システムは、一対の受光系の対物光軸がなす角度（ステレオ角）を変更するための第１機構（ステレオ角変更部２０Ａ）を備えていてよい。この構成は、一対の受光系がそれぞれ独立の対物レンズを有することによって実現可能となる。なお、一対の受光系に共通の対物レンズが設置される従来の構成においては、一対の受光系の角度（ステレオ角）を任意に変更することができない。
【００７８】
この構成によれば、簡易な構成で大きなステレオ角を実現することができ、立体感のある観察像を得ることが可能である。特に、高倍率での観察時に十分大きなステレオ角を適用することにより、立体感のある観察像を得ることができる。更に、ステレオ角を微調整することも容易である。たとえば、眼底観察時に照明光やその戻り光が虹彩にけられた場合、被検眼の瞳孔サイズに応じてステレオ角を小さくすることができる。
【００７９】
図２に示す状態からステレオ角が拡大された状態の例を図６に示す。なお、ステレオ角は、左受光系２０Ｌの対物光軸ＡＬ１と右受光系２０Ｒの対物光軸ＡＲ１とがなす角として定義されてもよいし、左受光系２０Ｌの対物光軸ＡＬ２と右受光系２０Ｒの対物光軸ＡＲ２とがなす角として定義されてもよい。ステレオ角変更部２０Ａによりステレオ角が変更されても、左右の接眼系３０Ｌ及び３０Ｒの相対位置（間隔、相対的向き）は変化しない。また、ステレオ角の変化に対応して、被検眼Ｅに対する左右の受光系２０Ｌ及び２０Ｒの距離を調整したり、左右の受光系２０Ｌ及び２０Ｒの焦点距離を変更したりすることにより、焦点位置が移動しないように制御を行うことができる。
【００８０】
実施形態において、一対の受光系のそれぞれは、焦点位置を変更するためのレンズ（フォーカスレンズ２４Ｌ、２４Ｒ）を含んでいてよい。更に、これらレンズを連係動作させるための第２機構（合焦部２４Ａ）が設けられていてよい。第２機構は、たとえば、これらレンズをともに光路に挿入し、かつ、ともに光路から退避させる。或いは、第２機構は、これらレンズをともに移動させる。
【００８１】
この構成によれば、観察部位に応じた焦点位置の変更を容易に行うことができる。たとえば、従来は、前眼部観察から眼底観察に移行する際に、顕微鏡自体を前後方向に移動させる操作を行う必要があったが、本実施形態によれば、レンズの挿入／退避、又はレンズの移動などによって容易に焦点位置を変更することが可能である。
【００８２】
実施形態において、一対の受光系のそれぞれは、光路を偏向するための偏向部材（ウェッジプリズム２５Ｌ、２５Ｒ）を含んでいてよい。更に、これら偏向部材を連係動作させるための第３機構（光路偏向部２５Ａ）が設けられていてよい。第３機構は、たとえば、これら偏向部材をともに光路に挿入し、かつ、ともに光路から退避させる。
【００８３】
この構成によれば、観察部位に応じた焦点位置の変更を容易に行うことができる。特に、焦点位置を変更するためのレンズ及びそれらを連係動作させるための第２機構を当該構成と組み合わせることで、焦点位置の移動をより好適に行うことが可能である。
【００８４】
実施形態において、一対の受光系の少なくとも一方の撮像素子からの出力に基づく画像を表示手段に表示させる第３制御部（制御部１００）が設けられていてよい。表示手段は、眼科用顕微鏡システムに設けられた表示デバイスを含んでもよいし、眼科用顕微鏡システムの外部に設けられた表示デバイスを含んでもよい。
【００８５】
この構成によれば、一対の受光系により取得された画像を提示することが可能である。なお、一対の受光系の双方により取得された画像を提示する場合、立体視が可能な態様で一対の画像を提示することが可能である。
【００８６】
表示手段の少なくとも一部が眼科用顕微鏡システムに設けられる場合の例として、一対の接眼部（接眼系３０Ｌ、３０Ｒ）を設けることが可能である。一対の接眼部のそれぞれは、表示手段（表示部３１Ｌ、３１Ｒ）と、この表示手段の表示面側に配置された１以上のレンズ（接眼レンズ系３２Ｌ、３２Ｒ）とを含む。
【００８７】
この構成によれば、あたかも一般的な双眼アイピースを介して目視観察を行う場合のように、一対の受光系により取得された一対の画像を観察することができる。このような構成を適用する場合、従来の顕微鏡と比較して十分に大きな射出瞳径を実現することができるので、見やすさや疲れにくさが向上する。
【００８８】
実施形態は、一対の接眼部の間隔を変更するための第４機構（間隔変更部３０Ａ）を備えていてよい。
【００８９】
この構成によれば、観察者の眼幅（瞳孔間距離等）に応じて一対の接眼部の間隔を調整することが可能となり、双眼での観察を快適に行うことができる。
【００９０】
実施形態は、一対の接眼部の相対的向きを変更するための第５機構（向き変更部３０Ｂ）を備えていてよい。
【００９１】
この構成によれば、一対の接眼部の互いの光軸が平行に配置された状態（平行視）と、互いの光軸が非平行に配置された状態（内方視）とを、観察者の好み等によって任意に選択することができる。また、互いの光軸がなす角度を調整することにより、観察者の両眼の輻輳を誘発することができ、立体視を支援することができる。また、眼幅調整と輻輳調整とを組み合わせることにより、多少の斜視を有する観察者であっても比較的容易に立体視を行うことが可能である。
【００９２】
実施形態は、一対の受光系のそれぞれの光路に照明系の光路を結合する第１光路結合部材（１１Ｌ、１１Ｒ）を備えていてよい。つまり、受光系と照明系とを同軸に構成することが可能である。なお、受光系と照明系とを非同軸に構成した例については後述する。
【００９３】
実施形態は、一対の受光系（主たる受光系）と異なる受光系を備えていてよい。特に、主たる受光系と異なる一対の受光系を備えていてよい。このような「他の一対の受光系」は、主たる受光系と同様に、対物レンズ及び撮像素子をそれぞれ含み、互いの対物光軸が非平行に配置されていてよい。そして、他の一対の受光系は、照明系により被検眼に照射された照明光の戻り光をそれぞれの対物レンズを介してそれぞれの撮像素子に導くよう構成される。このような他の一対の受光系は、たとえば助手用顕微鏡として使用される。たとえば手術においては、術者が主たる受光系を利用し、助手が助手用顕微鏡を利用する。助手用顕微鏡により取得された一対の画像は、たとえば、一対の接眼部と同様の構成の他の一対の接眼部を介して提示される。その他、主たる受光系に関する任意の構成や事項を、助手用顕微鏡に対して同様にして適用することが可能である。
【００９４】
実施形態において、照射系の構成は任意である。たとえば、以上に詳述したように、照射系は、ＯＣＴのための光（測定光ＬＳ）を被検眼に照射する機能と、レーザ治療のための光（照準光ＬＡ、治療光ＬＴ）を被検眼に照射する機能のうち、少なくとも一方を備えていてよい。また、実施形態は、ＯＣＴのための構成（ＯＣＴ部６０、データ処理部２００等）や、レーザ治療のための構成（レーザ治療部８０等）を含んでいてもよい。
【００９５】
実施形態の照射系は、被検眼に照射される光を偏向するための光スキャナ（４１）を備えていてよい。上記の例では、ＯＣＴのための光とレーザ治療のための光とを共通の光スキャナで偏向しているが、個別の光スキャナを設ける構成を適用することも可能である。
【００９６】
［変形例］
上記の実施形態は、本発明を実施するための例示に過ぎない。本発明を実施しようとする者は、本発明の要旨の範囲内において任意の変形、省略、追加、置換等を施すことが可能である。以下、上記の実施形態における図面を適宜に参照する。
【００９７】
（変形例１）
上記の実施形態において、フォーカスレンズ２４Ｌ及び２４Ｒ並びにウェッジプリズム２５Ｌ及び２５Ｒは、眼底観察時には光路から退避され、前眼部観察時には光路に挿入される。このような動作を自動化することが可能である。実施形態では、被検眼の観察部位を変更するための補助光学部材が使用される。たとえば、眼底観察時には光路に前置レンズ９０が配置され、前眼部観察時には光路から退避される。
【００９８】
本変形例の眼科用顕微鏡システムは、補助光学部材の状態（つまり観察部位の選択）に応じてフォーカスレンズ２４Ｌ及び２４Ｒの状態を変更する。つまり、制御部１００は、補助光学部材による観察部位の変更に応じて、フォーカスレンズ２４Ｌ及び２４Ｒを連係動作するための第２機構を制御する。同様に、制御部１００は、補助光学部材による観察部位の変更に応じて、ウェッジプリズム２５Ｌ及び２５Ｒを連係動作させるための第３機構を制御する。
【００９９】
具体例を説明する。制御部１００は、前置レンズ９０が光路から退避されたことを受けて、フォーカスレンズ２４Ｌ及び２４Ｒ並びにウェッジプリズム２５Ｌ及び２５Ｒを光路に挿入するように合焦部２４Ａ及び光路偏向部２５Ａを制御する。逆に、制御部１００は、前置レンズ９０が光路に挿入されたことを受けて、フォーカスレンズ２４Ｌ及び２４Ｒ並びにウェッジプリズム２５Ｌ及び２５Ｒから退避させるように合焦部２４Ａ及び光路偏向部２５Ａを制御する。
【０１００】
本変形例の眼科用顕微鏡システムは、補助光学部材の状態（たとえば、前置レンズ９０が光路に挿入されているか否か）を示す情報を生成する構成を備えてよい。たとえば、前置レンズ９０を保持するアームの配置状態をマイクロスイッチ等のセンサを用いて検出することができる。或いは、前置レンズ９０の挿入／退避を制御部１００からの信号に基づき行う構成の場合、制御の履歴を参照することによって前置レンズ９０の現在の状態を認識することができる。
【０１０１】
他の例として、撮像素子２３Ｌ及び／又は２３Ｒにより取得される画像と、フォーカスレンズ２４Ｌ及び２４Ｒ並びにウェッジプリズム２５Ｌ及び２５Ｒの現在の状態とに基づいて、前置レンズ９０が光路に配置されているか否か判定することができる。たとえば、フォーカスレンズ２４Ｌ等が光路に配置されている状態において取得された画像をデータ処理部２００にて解析することにより当該画像のボケ状態を示す量を求める。このボケ量が閾値以上である場合、前置レンズ９０が光路に配置されていると判定する。逆に、ボケ量が閾値未満である場合、前置レンズ９０は光路から退避されていると判定する。フォーカスレンズ２４Ｌ等が光路から退避されている状態において取得された画像を解析する場合についても、同様にして前置レンズ９０の状態を判定することが可能である。
【０１０２】
本変形例によれば、焦点位置を変更するためのレンズ（フォーカスレンズ２４Ｌ及び２４Ｒ）の状態や、光路を偏向するための偏向部材（ウェッジプリズム２５Ｌ及び２５Ｒ）の状態を、観察部位の切り替えに応じて自動で変更することができる。したがって、操作性の更なる向上を図ることができる。
【０１０３】
（変形例２）
上記の実施形態の照明系（１０Ｌ及び１０Ｒ）は、一対の受光系（２０Ｌ及び２０Ｒ）と同軸に配置されている。本変形例では、一対の受光系に対して非同軸に照明系が配置された構成、つまり、一対の受光系の対物光軸と異なる方向から照明光を照射可能な構成について説明する。本変形例の光学系の構成例を図７に示す。眼科用顕微鏡システム１Ａの照明系１０Ｓは、たとえばスリット光を被検眼に照射可能である。このような眼科用顕微鏡の典型的な例としてスリットランプ顕微鏡がある。本変形例では、スリットランプ顕微鏡のように、照明系１０Ｓと、受光系２０Ｌ及び２０Ｒとの相対位置を変更可能である。つまり、照明系１０Ｓと、受光系２０Ｌ及び２０Ｒとが、同一の軸周りに回動可能に構成される。それにより、スリット光で照明されている角膜等の断面を斜め方向から観察することが可能である。
【０１０４】
眼科用顕微鏡システムは、上記実施形態のような同軸照明系と、本変形例のような非同軸照明系との一方又は双方を備えていてよい。双方の照明系を備える場合、たとえば観察部位の切り替えに応じて、使用される照明系の切り替えを行うことができる。
【符号の説明】
【０１０５】
１  眼科用顕微鏡システム
１０、１０Ｌ、１０Ｒ  照明系
２０、２０Ｌ、２０Ｒ  受光系
２１Ｌ、２１Ｒ  対物レンズ
２３、２３Ｌ、２３Ｒ  撮像素子
３０、３０Ｌ、３０Ｒ  接眼系
４０  照射系
【図１】
0006490469.tif 000002
【図２】
0006490469.tif 000003
【図３】
0006490469.tif 000004
【図４】
0006490469.tif 000005
【図５】
0006490469.tif 000006
【図６】
0006490469.tif 000007
【図７】
0006490469.tif 000008